(57)【要約】【課題】簡易な構成にて、常時室内換気機能と、小屋裏及び床下の熱利用機能とを併せ有し、室内だけでなく、小屋裏及び床下をも含む空間を換気対象とすることができ、さしたるスペースを取らず、比較的低コストにて施工し得る住宅用換気システムを提供することを課題とする。【解決手段】小屋裏７から床下８にかけて、中間に仕切り４を備えた断熱ダクト３を配置し、前記断熱ダクト３の前記仕切り４より上側の上側ダクト５を前記小屋裏７に開口させると共に、前記断熱ダクト３の前記仕切り４より下側の下側ダクト６を前記床下８に開口させ、前記上側ダクト５と前記下側ダクト６はファン装置１３を介して連通状態にされ、前記上側ダクト５から前記下側ダクト６への通気と、前記下側ダクト６から前記上側ダクト５への通気とを切替え可能にした。【選択図】図１
2008138972.tif 000002
【特許請求の範囲】
【請求項１】
小屋裏から床下にかけて、中間に仕切りを備えた断熱ダクトを配置し、前記断熱ダクトの前記仕切りより上側の上側ダクトを前記小屋裏に開口させると共に、前記断熱ダクトの前記仕切りより下側の下側ダクトを前記床下に開口させ、前記上側ダクトと前記下側ダクトはファン装置を介して連通状態にされ、前記上側ダクトから前記下側ダクトへの通気と、前記下側ダクトから前記上側ダクトへの通気とを切替え可能にしたことを特徴とする住宅用換気システム。
【請求項２】
前記ファン装置として、常時室内換気のための換気ユニットを利用する請求項１に記載の住宅用換気システム。
【請求項３】
前記換気ユニットの本体ケース外に、複数の通気路に対する切替え機能を有する切替えボックスを２つ設置し、一方の前記切替えボックスに、屋外に通じる排気ダクトと、前記断熱ダクトの前記仕切りの上側の上側ダクトに通じる流出用ダクトと、前記断熱ダクトの前記仕切りの下側の下側ダクトに通じる流出用ダクトのいずれかを選択的に開通させる３方向切替弁を配備し、他方の前記切替えボックスに、前記上側ダクトに通じる流入用ダクトと前記下側ダクトに通じる流入用ダクトのいずれかを選択的に開通させる２方向切替弁を配備した請求項２に記載の住宅用換気システム。
【請求項４】
前記換気ユニットの本体ケース内に、複数の通気路に対する切替え機能を有する３方向切替弁と２方向切替弁とを配備し、前記３方向切替弁は、屋外に通じる排気ダクトと、前記断熱ダクトの前記仕切りの上側の上側ダクトに通じる流出用ダクトと、前記断熱ダクトの前記仕切りの下側の下側ダクトに通じる流出用ダクトのいずれかを選択的に開通させ、前記２方向切替弁は、前記上側ダクトに通じる流入用ダクトと前記下側ダクトに通じる流入用ダクトのいずれかを選択的に開通させるものである請求項２に記載の住宅用換気システム。
【請求項５】
前記常時室内換気に伴なって各室から吸入される空気と、前記上側ダクト又は前記下側ダクトを介して吸入される前記小屋裏内又は前記床下内の空気とが、前記換気ユニット内で混ざり合う請求項２乃至４のいずれかに記載の住宅用換気システム。
【発明の詳細な説明】
【技術分野】
【０００１】
本発明は、住宅用換気システム、より詳細には、換気対象が室内だけでなく、小屋裏及び床下をも含んだ空間であることを特徴とする住宅用換気システムに関するものである。
【背景技術】
【０００２】
近年、新築・改築後の住宅やビルにおいて、建築材料・家具等から発散する化学物質による室内空気汚染等により、めまい、吐き気、頭痛、目・鼻・喉の痛み等、居住者の健康にさまざまな影響が生じている事例が数多く報告され、それは「シックハウス症候群」、「シックビルディング症候群」等と呼ばれている。
【０００３】
更に、住宅設備の進歩に伴い、風呂、洗濯場、トイレ等の住宅内への設置化が進められ、人体由来の水分に加え、室内に放出される水分（水蒸気）量は上昇する傾向にある。そして、これらの化学物質及び水分に加え、人体から発せられる炭酸ガスによる室内空気汚染が、近年特に問題視されてきている。
【０００４】
上記室内空気汚染は、常時、ある一定の割合で進むものであって、タバコの煙、トイレ臭気、入浴時の多量な水分（湿気）、室内に燃焼ガス（排気ガス）を排出する燃焼器具等に対処するために採用される、局時・局所的に多量の換気を行う手法（これを局所換気と呼ぶ）では解決することができない。
【０００５】
上記室内空気汚染に対処するためには、住宅全体を対象とし、２４時間、常時、ある一定量を換気し続けることが必要であり、また、住宅内に居住空間（居間・寝室など）から非居住空間（トイレ・脱衣場など）への空気の流れを作ることで、極力汚染空気を人体に影響させないことが必要である。
【０００６】
近年これらの技術は、局所換気と区別して「計画換気」、「換気システム」等と呼ばれ、種々のものが開発されてきている。特に、近年増えてきている高気密・高断熱住宅のような高性能住宅には、その技術を採用する例が増えてきている。
【０００７】
この種換気システムは、通例、排気ファンを内蔵していて天井裏に配備される換気ユニットと、換気ユニットから各室にまで延びるダクトホースと、ダクトホースの先端に設置されて室内に臨む吸気口とから成り、換気ユニットには、室外に延びる排気ダクトが備え付けられる。
【０００８】
一方、室内の冷暖房の補助として、床下の空気と小屋裏の空気を利用することが提案されている。例えば、特開昭６３−１２５７４９号公報においては、屋根板下面に空気流路を設けてなる集熱部と、レンガ、砕石等の大熱容量材よりなり、壁面、床下等の部屋内に熱放射可能な部所に設けられる蓄熱部と、前記集熱部の空気流路と蓄熱部とを連通させ、ファンにより駆動された空気を通して熱を輸送する通気路とを有することを特徴とする自然熱利用建築物が提案されている。
【０００９】
【特許文献１】特許第３２７６３００号公報
【特許文献２】特開昭６３−１２５７４９号公報
【特許文献３】実用新案登録第２５６５７４２号公報
【特許文献４】実公平７−２１６８５号公報
【発明の開示】
【発明が解決しようとする課題】
【００１０】
言うまでもなく、上記常時室内換気システムは２４時間換気機能しか有しておらず、また、上記自然熱利用システムも、蓄熱部等を介しての暖冷房補助機能しか有しておらず、それぞれの機能を発揮させるためには、各システムを別途設置する必要があり、それには設置スペース上の問題とコスト上の問題があって、実際上実施は困難である。
【００１１】
本発明はこのような背景の下になされたもので、簡易な構成にて、常時室内換気機能と、小屋裏及び床下の熱利用機能とを併せ有し、室内だけでなく、小屋裏及び床下をも含む空間を換気対象とすることができ、さしたるスペースを取らず、比較的低コストにて施工し得る住宅用換気システムを提供することを課題とする。
【課題を解決するための手段】
【００１２】
上記課題を解決するための請求項１に係る発明は、小屋裏から床下にかけて、中間に仕切りを備えた断熱ダクトを配置し、前記断熱ダクトの前記仕切りより上側の上側ダクトを前記小屋裏に開口させると共に、前記断熱ダクトの前記仕切りより下側の下側ダクトを前記床下に開口させ、前記上側ダクトと前記下側ダクトはファン装置を介して連通状態にされ、前記上側ダクトから前記下側ダクトへの通気と、前記下側ダクトから前記上側ダクトへの通気とを切替え可能にしたことを特徴とする住宅用換気システムである。
【００１３】
好ましくは、前記ファン装置として、常時室内換気のための換気ユニットを利用し、前記換気ユニットの本体ケース外に、複数の通気路に対する切替え機能を有する切替えボックスを２つ設置し、一方の前記切替えボックスに、屋外に通じる排気ダクトと、前記断熱ダクトの前記仕切りの上側の上側ダクトに通じる流出用ダクトと、前記断熱ダクトの前記仕切りの下側の下側ダクトに通じる流出用ダクトのいずれかを選択的に開通させる３方向切替弁を配備し、他方の前記切替えボックスに、前記上側ダクトに通じる流入用ダクトと前記下側ダクトに通じる流入用ダクトのいずれかを選択的に開通させる２方向切替弁を配備する。
【００１４】
また、前記換気ユニットの本体ケース内に、複数の通気路に対する切替え機能を有する３方向切替弁と２方向切替弁とを配備し、前記３方向切替弁は、屋外に通じる排気ダクトと、前記断熱ダクトの前記仕切りの上側の上側ダクトに通じる流出用ダクトと、前記断熱ダクトの前記仕切りの下側の下側ダクトに通じる流出用ダクトのいずれかを選択的に開通させ、前記２方向切替弁は、前記上側ダクトに通じる流入用ダクトと前記下側ダクトに通じる流入用ダクトのいずれかを選択的に開通させるものとすることもできる。
【発明の効果】
【００１５】
本発明は上述したとおりであって、簡易な構成であってさしたるスペースを取らず、且つ、低コストにて施工できて、室内だけでなく、小屋裏及び床下をも含む空間を換気対象とする換気システムを実現でき、本システムを組み込んだ住宅においては、季節や気候条件に応じて、小屋裏内の空気を床下に、また、床下内の空気を小屋裏に導入した後に大気に放出し、その際同時に、常時室内換気により室内の空気の排出をも行なうので、室内外の温度差が緩和されて結露が防止され、更に、小屋裏と床下の換気が促進され、延いては建物の耐久性が向上する効果がある。また、小屋裏と床下の温度が変動することにより、夏は涼しく、冬は暖かい室内環境が得られる効果がある。
【発明を実施するための最良の形態】
【００１６】
本発明を実施するための好ましい形態を、添付図面に依拠して説明する。図１は、本発明に係るシステムを組み込んだ２階建て住宅の構成例を示すものである。そこに示されている住宅は、壁断熱と共に天井断熱及び床断熱を施した高気密・高断熱住宅であり、天井断熱部１から床断熱部２にかけて、断熱ダクト３を配置したものである。断熱ダクト３は、その中間の１階天井裏対応部に仕切り４を設けて、上側ダクト５と下側ダクト６とに区画する。
【００１７】
上側ダクト５は小屋裏７に連通させ、下側ダクト６は床下８に連通させる。好ましくは、上側ダクト５の小屋裏開口部及び下側ダクト６の床下開口部に、それぞれ、ベルマウス形状（ラッパ型）のマウス９を設置する。そして、適宜棟換気装置１０や妻ｓ換気装置等を配置することにより、小屋裏７内の換気を可能にし、また、基礎１１の上に、適宜通気材１２を介在させて床下８内の換気を可能にする。
【００１８】
上側ダクト５と下側ダクト６間における通気を実行するためのファン装置としては、常時室内換気のための換気ユニット１３を兼用することが好ましい。常時室内換気のための換気ユニット１３は、１階又は２階の天井裏１４等に設置する。換気ユニット１３の本体ケース１５には、複数の室から延びる１又は複数のダクトホース１６を直結するためのホース接続口１７を１又は複数設け、また、複数の通気路に対する切替え機能を有する切替えボックス１８、１９を接続するためのボックス接続口２０、２１を２つ設ける。
【００１９】
一方の切替えボックス１８は、本体ケース１５の排気側に形成されるボックス接続口２０に接続し、他方の切替えボックス１９は、本体ケース１５の断熱ダクト３側に形成されるボックス接続口２１に接続する。切替えボックス１８は、通気路切替えのための電動又は手動の３方向切替弁（図示してない）を内蔵し、切替えボックス１９は、３方向切替弁同様の２方向切替弁（図示してない）を内蔵する。
【００２０】
切替えボックス１８には、先端に排気フード２２を備えた排気ダクト２３を接続すると共に、一対の流出用ダクト２４、２５を接続する。一方の流出用ダクト２４の先端は上側ダクト５に開口させ、他方の流出用ダクト２５の先端は下側ダクト６に開口させる。本体ケース１５から送出される空気は、上記３方向切替弁の作用で開かれた、排気ダクト２３と２つの流出用ダクト２４、２５のいずれか１つに流入することになる。
【００２１】
切替えボックス１９には、上側ダクト５に開口する流入用ダクト２６と、下側ダクト６に開口する流入用ダクト２７を接続する。上記２方向切替弁の作用で、上側ダクト５から流入用ダクト２６に入った空気と、下側ダクト６から流入用ダクト２７に入った空気のいずれかが、ボックス接続口２１から本体ケース１５内に流入する。
【００２２】
図示し且つ上述した実施形態は、既存の換気ユニット１３をそのまま用い、これに切替えボックス１８、１９を外付けしたものであるが、換気ユニット１３を改造して切替えボックス１８、１９の機能をこれに内蔵することもできる。即ち、本体ケース１５内に上記３方向切換弁と２方向切換弁を組み込み、本体ケース１５に、３方向切換弁に通ずる排気ダクト２３及び流出用ダクト２４、２５を接続し、更に、２方向切換弁に通ずる流入用ダクト２６、２７を接続する構成とすることもできる。
【００２３】
上記構成において、例えば春や秋においては、換気ユニット１３と、各室に延びるダクトホース１６を介しての、常時室内換気のみが行われる。即ち、各室内の汚れた空気は、室内に臨む吸気口２８から負圧状態のダクトホース１６内に緩やかに吸入され、集結されて本体ケース１５内に集められる。その際、３方向切替弁は排気ダクト２３を開通させていて、本体ケース１５内に集められた汚れた空気は、排気ダクト２３から大気に放出される（図３）。
【００２４】
夏期においては、小屋裏７内は床下よりも高温となるので、切替えボックス１９については、２方向切替弁の作用で下側ダクト６に連通する流入用ダクト２７側を開かせ、切替えボックス１８については、３方向切替弁の作用で上側ダクト６に連通する流出用ダクト２４側を開かせる（図４）。
【００２５】
かくして、換気ユニット１３の作用で負圧となっている流入用ダクト２７内に、床下の比較的涼しい空気が下側ダクト６を介して吸入され、切替えボックス１９を経て本体ケース１５内に流入する。言うまでもなく、断熱ダクト３には仕切り４があるため、下側ダクト６内の空気が直接上側ダクト５内に流入することはない。
【００２６】
本体ケース１５内に流入した床下からの空気は、各室から吸入した汚れた空気と混ざり合いながら切替えボックス１８内に送出され、次いで、開いている流出用ダクト２４を通って上側ダクト５に送出されて、小屋裏７内に送られる。それにより、小屋裏７内の高温の空気が冷やされる。このように、夏期においては、床下の比較的低温の空気を小屋裏内に導入することにより、小屋裏７内が過度に高温になることを抑えることができる。
【００２７】
冬期においては夏期とは逆に、流入用ダクト２６側と流出用ダクト２５側とを開通させる（図５）。かくして、夏期の場合とは逆に、小屋裏７内の比較的温かい空気が、上側ダクト５、流入用ダクト２６を経て切替えボックス１９内に入り、そこから本体ケース１５内に流入し、各室から吸入した汚れた空気と混ざり合う。そして、切替えボックス１８内に送出され、そこから開いている流出用ダクト２５を通って下側ダクト６に送出されて、床下８に送られる。それにより、床下８内の冷たい空気は温められ、通気材１２を通って放出される。
【００２８】
このように、本発明に係るシステムを組み込んだ住宅においては、季節や気候条件に応じて、小屋裏７内の空気を床下８に、また、床下８内の空気を小屋裏７に導入して大気に放出し、その際同時に、常時室内換気による空気を排出するので、室内外の温度差が緩和されて結露が防止され、更に、小屋裏７と床下８の換気が促進され、延いては建物の耐久性が向上する。そして、小屋裏７と床下８の温度が変動することにより、夏は涼しく、冬は暖かい室内環境が得られる。
【００２９】
本発明に係るシステムは、上記利用方法の外、２方向切換弁の流入用ダクト２６側を開かせると共に、３方向切換弁の排気ダクト２３側を開かせることにより、小屋裏７の空気のみを機械排気したり（図６）、２方向切換弁の流入用ダクト２７側を開かせると共に、３方向切換弁の排気ダクト２３側を開かせることにより、床下８の空気のみを機械排気するためにも利用することができる（図７）。
【００３０】
更に、２方向切換弁の流入用ダクト２６側と流入用ダクト２７側の双方を開かせると共に、３方向切換弁の排気ダクト２３側を開かせることにより、小屋裏７と床下８の空気を同時に機械排気するために利用することもできる（図８）。
【００３１】
この発明をある程度詳細にその最も好ましい実施態様について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００３２】
【図１】本発明の一実施形態を示す全体構成図である。
【図２】本発明の一実施形態の要部を示す図である。
【図３】本発明に係るシステムの第１の利用方法を示す図である。
【図４】本発明に係るシステムの第２の利用方法を示す図である。
【図５】本発明に係るシステムの第３の利用方法を示す図である。
【図６】本発明に係るシステムの第４の利用方法を示す図である。
【図７】本発明に係るシステムの第５の利用方法を示す図である。
【図８】本発明に係るシステムの第６の利用方法を示す図である。
【符号の説明】
【００３３】
１        天井断熱部
２        床断熱部
３        断熱ダクト
４        仕切り
５        上側ダクト
６        下側ダクト
７        小屋裏
８        床下
９        マウス
１０        棟換気装置
１１        基礎
１２        通気材
１３        換気ユニット
１４        天井裏
１５        本体ケース
１６        ダクトホース
１７        ホース接続口
１８、１９  切替えボックス
２０、２１  ボックス接続口
２２        排気フード
２３        排気ダクト
２４、２５  流出用ダクト
２６、２７  流入用ダクト
２８        吸気口
【図１】
2008138972.tif 000003
【図２】
2008138972.tif 000004
【図３】
2008138972.tif 000005
【図４】
2008138972.tif 000006
【図５】
2008138972.tif 000007
【図６】
2008138972.tif 000008
【図７】
2008138972.tif 000009
【図８】
2008138972.tif 000010